【事件の表示】
　平成１０年特許願第２９０９９９号「採血採尿用自動受付装置及び採血採尿用自動受付システム」拒絶査定不服審判事件〔平成１２年４月２８日出願公開、特開２０００−１２１６４４〕について、次のとおり審決する。
【結　論】
　本件審判の請求は、成り立たない。
【理　由】
第1　手続の経緯
　本願は、平成１０年１０月１３日の特許出願であって、平成１９年１２月６日付けで拒絶査定がなされ、これに対し、平成２０年１月１１日に拒絶査定不服審判の請求がなされるとともに、平成２０年２月１２日付けで手続補正がなされたものである。
　
第２　平成２０年２月１２日付けの手続補正についての補正却下の決定
［補正却下の決定の結論］
　　平成２０年２月１２日付けの手続補正を却下する。
［理由］
１　補正後の請求項１に記載された発明
　本件補正により、特許請求の範囲の請求項１は、次のとおりに補正された。（下線は補正箇所を示す。）
「【請求項１】
　個人を識別できる識別情報を入力する識別情報入力手段と、
　
ラベルを貼り付けるべき採尿カップを積み重ねて収容し、積み重ねて収容された採尿カップを下方から取り出すと共に、
取り出した
ように構成された
　少なくとも採血用識別情報を印字した採血用整理券を発行する整理券発行手段と、
　患者に採血及び／又は採尿に関する指示情報を表示する表示手段と、
　患者が発行された採尿カップ及び／又は整理券を受け取らずに立ち去ったことを検出する手段と、
　この検出手段からの検出情報に基づいて、患者に取り忘れを報知する手段と、
　前記識別情報に基づいて、複数の患者の個人情報を記憶したホストコンピュータから前記識別情報に対応する患者の個人情報を得て、
　該患者が必要としている検査が尿検査であること、採血検査であること、又は尿検査及び採血検査であることを表示手段に表示させ、かつ、
　該患者が尿検査を必要としている場合に、前記個人情報に基づいて予め決められた項目をラベルに印字
すると共に、積み重ねて収容された採尿カップを下方から取り出して
取り出した
　該患者が採血検査を必要としている場合に、少なくとも採血用識別情報を印字した採血用整理券を発行するよう整理券発行手段を作動させる
　制御手段とを備え、
　前記各手段を一つのユニットとして構成した
　ことを特徴とする採血採尿用自動受付装置。」
　
　上記補正は、請求項１に記載した発明を特定するために必要な事項である、「採尿カップ用自動ラベル貼付手段」について、「ラベルを貼り付けるべき採尿カップを積み重ねて収容し、積み重ねて収容された採尿カップを下方から取り出す」との限定を付加し、制御手段による「採尿カップ用自動ラベル貼付手段」の作動について、「積み重ねて収容された採尿カップを下方から取り出して」と限定を付加するものであるから、平成１８年法律第５５号改正附則第３条第１項によりなお従前の例によるとされてる同法による改正前の特許法第１７条の２第４項第２号の特許請求の範囲の減縮を目的とするものに該当する。
　
　そこで、補正後の請求項１に記載された発明（以下、「本願補正発明」という。）が特許出願の際に独立して特許を受けることができるものであるか（平成１８年法律第５５号改正附則第３条第１項によりなお従前の例によるとされてる同法による改正前の特許法第１７条の２第５項において準用する同法第１２６条第５項の規定に適合するか）について以下に検討する。
　
２　引用刊行物の記載事項
　本願出願日前に頒布され、原査定の拒絶の理由に引用された刊行物１（原査定の引用文献１）、刊行物２（原査定の引用文献２）、及び刊行物３（原査定の引用文献３）、さらに、刊行物４（前置報告書の周知例）には、以下の事項がそれぞれ記載されている。
　
（１）刊行物１：特開平１０−６２４２８号公報
（1a）「【０００５】
【発明の実施の形態】以下、本発明に係る試験管準備システム及び試験管管理システムの実施の形態を添付図面を参照した一実施例を参照して説明する。
図１は、本発明に係る試験管準備システムを用いた試験管管理システムの概略構成図を示している
この試験管管理システムは、検査受付システムＡ、検査用試験管準備システムＢ、及び表示システムＣから構成され
【０００６】前記
受付システムＡは、検査情報を管理する受付制御装置１、整理番号発行用のプリンタ３、及びハルンカップラベラー５を備えている。前記受付制御装置１には、検査依頼が入力されたホストコンピュータ２から
被験者に関する個人情報（例えば、氏名）と必要な検査の種類の情報とを含む検査情報が入力される
各検査情報に対して整理番号を付け、この整理番号情報をプリンタ３に送る。プリンタ３では、前記整理番号情報に基づいて、整理番号を印字した整理番号券３ａを発行し、この整理番号券を対応する被験者に渡す
受付制御装置１は、検査情報に基づいて被験者が検尿すべき必要のある場合には、被験者の個人情報等をハルンカップラベラー５に送る。ハルンカップラベラー５では、受付制御装置１から入力された情報に基づいて、ラベルに被験者の名前等を印字し、この印字済みのラベル５ａをハルンカップ５ｂに貼り付けてハルンカップ５ｂを対応する被験者に渡す
（1b）「【００１８】以上説明した実施例では、受付システムＡを、ホストコンピュータに入力された検査依頼情報、又はそれ自身のキーボードから入力された検査依頼情報に基づいて受付処理を行うように構成しているが、
この受付システムＡの構成は、本実施例に限定されることなく
受付システムＡに磁気カートリーダを設け、被験者に対して被験者のＩＤ番号を記憶した磁気カードを予め配布しておき、被験者が検査を依頼する時に、自分の磁気カードを磁気カードリーダに読み込ませると、受付制御装置１が被験者のＩＤ番号に基づいてホストコンピュータから被験者の氏名、生年月日、又は性別等の個人情報や必要な検査情報を読み出し、同時に被験者に対する整理番号を付けるように構成してもよい
（1c）図１には、試験管管理システムの概略構成図として、受付制御装置１、プリンタ３、ハルンカップラベラ５を備えた検査受付システムＡ、受付制御装置１と接続したホストコンピュータが検査依頼入力を受けること、プリンタ３で整理番号券３ａが発行されて被験者に渡されること、ハルンカップラベラ５からによりラベルが貼付されたハルンカップが被験者に渡されることが図示されている。（第９頁【図１】）
　
（２）刊行物２：実用新案登録第３０３５０９１号公報
（2a）「【請求項１】  磁気カード読取装置と、
磁気カード読取装置で磁気カードから読み取った情報に基づいてラベルに被験者に関する情報を印字し、印字済みのラベルをカップの表面に貼り付ける印字・貼付ユニットと、
ラベルを貼り付けるべきカップをラベル貼付位置まで移送し、ラベル貼付後にカップを取り出し位置に移送する移送手段とを備えていることを特徴とするハルンカップ用ラベル貼付装置。
【請求項２】  ケース内に、
磁気カード読取装置と、
磁気カード読取装置で磁気カードから読み取った情報に基づいてラベルに被験者に関する情報を印字し、印字済みのラベルをカップの表面に貼り付ける印字・貼付ユニットと、
ラベルを貼り付けるべきカップを、カップ装着位置からラベル貼付位置まで移送する移送手段とを収納し、
前記ラベル貼付位置がケース内に位置し、前記装着位置の少なくとも一部がケース外に露出し、ラベル貼付後のカップを前記装着位置で取り出すように構成したことを特徴とするハルンカップ用ラベル貼付装置。」
（2b）「上記したように構成されたハルンカップ用ラベル貼付装置１は、被験者が磁気カード読取装置９に自分の磁気カードを読み込ませると、印字・貼付ユニット５が作動して、被験者の個人情報を印字ヘッド５ｃでラベルに印字し、印字したラベル１１を剥離板５ｅで剥離し、貼付ローラ５ｆで印字後のラベル１１を剥離した状態で保持する。そして、被験者がカップをカップホルダ７ａに装着すると、駆動モータ７ｄによってカップホルダ７ａは、図５に実線で示すカップ装着位置から、図５に破線で示す貼付位置まで回転移動される。図６（ａ）は、カップホルダ７ａが貼付位置にある状態の概略正面図、図６（ｂ）は、カップホルダ７ａが貼付位置にある状態の概略右側面図を各々示している。・・・被験者はカップ１５が、装着位置まで移動されると、ラベル貼付後のカップ１５をカップホルダ７ａから取り外す。」（第８頁８行〜最終行）
（2c）「上記した
ハルンカップ用ラベル貼付装置１はケース３の上面に表示装置１７が設けられている
この表示装置１７は、磁気カード読取装置９で磁気カードから読み込んだ被験者の個人情報を表示
被験者に対して「カップを装着して下さい。」及び「カップを取り外して下さい。」等のハルンカップ用ラベル貼付装置１の操作手順を表示
（2d）「上記したように、ハルンカップ用ラベル貼付装置１に磁気カード読取装置９を設けることにより、被験者に対するラベル付きカップ１５の受け渡しを自動的に行えるようになり病院内での
検査受付処理を効率化
（2e）「 次に、上記したように構成されたハルンカップ用ラベル貼付装置１を試験管準備システムＢと共に検査前準備システムの一部として使用する例について説明する。尚、この実施例では、被験者の磁気カードには個別のＩＤ番号が記憶されているものとする。
  
図７は、検査前準備システムの概略構成図
  この検査前準備システムは
検査受付システムＡと試験管準備システムＢ
  
検査受付システムＡは、検査受付用制御装置２０、及びハルンカップ用ラベル貼付装置１から成る
自分の磁気カードをハルンカップ用ラベル貼付装置１の磁気カード読込装置９に通すと、磁気カード読込装置９は磁気カードから被験者のＩＤ番号を読み出し、このＩＤ番号を検査受付用制御装置２０に送る。検査受付用制御装置２０は、磁気カードリーダ読込装置９から入力したＩＤ番号に基づいて、ホストコンピュータから被験者の氏名等の個人情報や、医師が別の端末で入力した被験者に必要な検査の情報等を読み込む
　
検査受付用制御装置２０は
ホストコンピュータから被験者の個人情報及び検査に関する情報を入力
被験者が検尿をする必要がある場合には、ハルンカップ用ラベル貼付装置１の表示装置１７にカップを装着する旨を表示
ハルンカップ用ラベル貼付装置１は
ラベル１１を貼り付けたカップ１５を被験者に渡す
（2f）「上記したように、ハルンカップ用ラベル貼付装置１を検査前準備システムの一部として使用すると、
被験者が検査受付システムＡで、自分の磁気カードをハルンカップ用ラベル貼付装置１の磁気カード読込装置９に通すだけで、検尿用カップ１５及び採血等に用いられる試験管ｗの準備を自動的に行うことが可能
面倒な作業が必要なくなる
  また、ハルンカップ用ラベル貼付装置１を受付システムＡに設けることによって、被験者は受付システムＡで受付及び検尿カップ１５の受取の両方を同じ場所で行うことができるようになる。」（第１１頁１１行〜１８行）
　
（３）刊行物３：特開平９−１７１５２８号公報
（3a）「【請求項１８】上記患者用読み取り装置は、
患者が患者用読み取り装置に接近したか否かを検出する検知手段を備えるとともに、上記確認欄および上記取消欄のいずれにも線画が記入されることなく、当該検知手段が、患者が患者用読み取り装置から離れたことを検知
（3b）「【００４５】図２は、
初診患者用端末１０１
【００４６】
センサ１０１ａは、発光素子（発光ダイオード、レーザダイオード等）、受光素子（フォトトランジスタ等）、検出回路等を備え、患者が初診患者用端末１０１に接近しことを検知可能である
（3c）「【００９５】（初診申込書記入処理）図１４に、初診申込書記入処理のフローチャートを示す。先ず、
初診患者用端末１０１は、センサ１ａがオンになったか否か、すなわち患者が初診患者用端末１０１の正面に位置しているか否かを判断する
・・・
【０１０２】
この後、初診患者用端末１０１は、センサ１ａあるいはスイッチ１ｂがオフになったか否かを判断する
すなわち、患者が初診患者用端末１０１から離れた場合、あるいは患者がペン１ｃをペン置きに戻した場合（Ｓ３１１でＹＥＳ）には、初診申込書上に少なくとも氏名、住所が記入されたか否かを判断する
（3d）「【０１０６】
初診受付ユニット１０２は、表示された伝票の中から最も古いタイムスタンプが付されたものを自動的に選択する
患者名を案内ディスプレイ２ｄに表示することによって患者を窓口に呼び出す
　
（４）刊行物４：特開平４−３１２３５号公報
（4a）「検尿容器供給機６００は、ラベル保持貼着機５００の近傍に設けられ、ラベル保持貼着機５００でラベル２０が貼付された検尿カップ１６を検尿容器取り出し口１６０に１個ずつ落下して供給するためのものである。」（第３頁左上欄１１行〜１５行）
（4b）第２図には、検尿容器供給機６００が、検尿カップを重ねて収容し、下方から取り出すように構成されたものが図示されている。（第８頁第２図）
　
３　対比・判断
　刊行物１の上記記載事項（上記(1a)〜(1c)）から、刊行物１には、
「氏名等の個人情報と必要な検査の種類の情報を有し検査依頼が入力されたホストコンピュータ２、ホストコンピュータ２に接続され、ディスプレーを有する受付制御装置１、採血のための整理番号券発行用プリンタ３、受付制御装置１から入力された情報に基づいてラベルに被験者の氏名等を印字し、印字済みラベルをハルンカップに貼り付けるハルンカップラベラー５を備えた受付システムを有し、受付システムが磁気カードリーダを有し、被験者が自分の磁気カードを読み込ませると、受付制御装置１がホストコンピュータから被験者の個人情報及び必要な検査情報を読み出すものである採血及び採尿の受付装置」の発明（以下、「刊行物１発明」という。）が記載されていると認められる。
　
　そこで、本願補正発明と刊行物１発明とを比較する。
（ア）刊行物１発明の「氏名等の個人情報」、「磁気カードリーダ」、「採血のための整理番号券発行用プリンタ」、「ハルンカップ」、「ハルンカップラベラー」、「被験者」は、本願補正発明の「個人を識別できる識別情報」、「識別情報入力手段」、「少なくとも採血用識別情報を印字した採血用整理券を発行する整理券発行手段」、「採尿カップ」、「採尿カップ用自動ラベル貼付手段」、「患者」にそれぞれ相当する。
（イ）刊行物１発明のラベルに印字される「被験者の氏名等」は、採尿カップに通常記入される項目であるから、本願補正発明の「予め決められた項目」に包含されるものである。
（ウ）刊行物１発明の「ディスプレー」と「患者に採血及び／又は採尿に関する指示情報を表示する表示手段」とは、表示手段である点で共通している。
（エ）刊行物１発明の「受付システム」は、磁気カードを読み込ませることで、採血のための整理番号券を発行し、ハルンカップラベラーを作動させるシステムであるから、一連の動作が制御手段で制御されていることは明らかである。
（オ）刊行物１発明の「採血及び採尿の受付装置」は、被験者が自分の磁気カードを受付制御装置の磁気カードリーダに読み込ませることにより、自動的に、印字されたラベルのハルンカップへの貼付、採血のための整理券の発行が行われるものであるから、本願補正発明の「採血採尿用自動受付装置」に相当する。
　したがって、両者の間には以下の一致点及び相違点がある。
　
（一致点）
　個人を識別できる識別情報を入力する識別情報入力手段と、
　予め決められた項目をラベルに印字し、印字後のラベルを採尿カップに貼り付けるように構成された採尿カップ用自動ラベル貼付手段と、
　少なくとも採血用識別情報を印字した採血用整理券を発行する整理券発行手段と、
　表示手段と、
　前記識別情報に基づいて、複数の患者の個人情報を記憶したホストコンピュータから前記識別情報に対応する患者の個人情報を得て、
　該患者が尿検査を必要としている場合に、前記個人情報に基づいて予め決められた項目をラベルに印字すると共に採尿カップに貼り付けるように採尿カップ用自動ラベル貼付手段を作動させ、さらに、
　該患者が採血検査を必要としている場合に、少なくとも採血用識別情報を印字した採血用整理券を発行するよう整理券発行手段を作動させる
　制御手段とを備えた、
　採血採尿用自動受付装置である点。
　
（相違点１）
　採尿カップ用自動ラベル貼付手段の採尿カップの収容状態、及び制御手段による採尿カップの取り出しの作動が、本願補正発明では、ラベルを貼り付けるべき採尿カップを積み重ねて収容し、積み重ねて収容された採尿カップを下方から取り出すように構成し、積み重ねて収容された採尿カップを下方から取り出すように作動させるのに対し、刊行物１では、ハルンカップの収容状態及び取り出し方法が規定されていない点。
　
（相違点２）
　表示手段が、本願補正発明では、患者に採血及び／又は採尿に関する指示情報を表示するものであって、患者が必要としている検査が尿検査であること、採血検査であること、又は尿検査及び採血検査であることを表示させるように制御手段で制御されるのに対し、刊行物１発明では、表示させる内容を規定していない点。
　
（相違点３）
　本願補正発明は、患者が発行された採尿カップ及び／又は整理券を受け取らずに立ち去ったことを検出する手段と、この検出手段からの検出情報に基づいて、患者に取り忘れを報知する手段とを備えているのに対し、刊行物１は、このような手段を備えていない点。
　
（相違点４）
　本願補正発明は、装置を一つのユニットとして構成したものであるのに対して、刊行物１発明は、装置全体の構造を規定していない点。
　
　そこで、上記各相違点について検討する。
（相違点１について）
　刊行物４に、検尿容器のラベル貼付装置の検尿容器供給機として、カップ状の検尿容器を積み重ねて収容し、下方から取り出すようにしたものが記載されているように、積み重ねて収容したカップを下方から取り出すことは、カップの取り扱いの常套手段であるから、刊行物１発明において、採尿カップ用自動ラベル貼付手段の採尿カップの収容状態及び採尿カップの取り出し方の制御を、ラベルを貼り付けるべき採尿カップを積み重ねて収容し、積み重ねて収容された採尿カップを下方から取り出すように構成し、積み重ねて収容された採尿カップを下方から取り出して、印字後のラベルを取り出した採尿カップに貼り付けるように採尿カップ用自動ラベル貼付手段を作動させることに格別の困難性があるとはいえない。
　
（相違点２について）
　刊行物１発明の受付制御装置は、ホストコンピュータから被検査者に関する個人情報と必要な検査の種類とを含む検査情報が入力されるものであり、端末に入力された情報は、端末のディスプレーに表示可能であることは技術常識であるから、刊行物１発明の受付制御装置の表示手段には、被検査者に関する個人情報と必要な検査の種類とを含む検査情報を表示することが可能であるといえる。
　そして、刊行物２（上記(2c)(2d)）には、受付装置でもあるハルンカップ用ラベル貼付装置に表示装置を設け、その表示装置に、被験者の個人情報や操作手順などを表示すること、被験者が検尿をする必要がある場合には、ハルンカップ用ラベル貼付装置の表示装置にカップを装着する旨を表示させ、被験者に必要な行動を行わせることが記載されているし、さらに、例えば、特開平７−２３９８８２号公報にも記載されるように、病院の再来受付機において、患者が簡単に扱えるようにするために、自動受付装置に表示装置を設け、患者に必要な情報を表示することは、本願出願前の周知技術である。
　また、刊行物１（上記(1a)）には、血液検査と併せて検尿すべき必要がある場合にハルンカップラベラーを作動させることが記載されており、検尿のみを行うことは明示されていないが、患者が必要とする検査が、血液検査及び尿検査の両方、血液検査のみの場合だけでなく、尿検査のみの場合もあることは、疾病の種類等の事情により当然のことである。
　そうすると、刊行物１発明において、血液検査、血液検査と尿検査、及び尿検査のいずれかを行う制御をするようにして、刊行物１発明の表示手段を、患者に採血及び／又は採尿に関する指示情報を表示するものとし、患者が必要としている検査が尿検査であるのか、採血検査であるのか、又は尿検査及び採血検査であるのかを患者が認識できるように、尿検査であること、採血検査であること、又は尿検査及び採血検査であることを表示手段に表示させるように制御することに格別の困難性があるとはいえない。
　
（相違点３について）
　刊行物３には、患者用端末と受付ユニットにより、患者受付を行うシステムであって、患者用端末の前に患者がいること及び患者が立ち去ったことを検知するセンサを有し、患者が手続きを行い端末の前を立ち去ったことを検知したことにより、受付内容の確認を行い受付ユニットのディスプレー表示により患者を呼び出す、或いは手続きを無効にする等の処理を行うシステムが記載されている。さらに、一般に、自動受付装置の前から人が立ち去ったことを検知して、警報等のその後の処理をするシステムは、例えば、特開平８−１６１５９４号公報（【請求項３】【０００６】【０００７】）、特開平１０−１８８１０３号公報（【００６８】【００６９】）に、装置から排出されたものを取り忘れて立ち去ったことを検知し、取り忘れを報知するという処理を行うことが記載されているように、本願出願前の周知の技術である。
　そうすると、患者が、採血のための整理番号券やラベルが貼付された採尿カップを受け取る必要がある刊行物１発明の装置において、これらを受け取らずに立ち去ったことを検出する手段と、この検出手段からの検出情報に基づいて、患者に取り忘れを報知する手段を設けることに格別の困難性があるということはできない。
　
（相違点４について）
　複数の手段からなる装置を、一つにまとめてユニットとすることは、本願出願前の常套手段であり、刊行物１発明を一つのユニットとして構成することに格別の困難性があるとはいえない。
　
（本願補正発明の効果について）　
　上記相違点に係る構成を採用することによる効果は、刊行物１ないし４及び周知技術から予測し得るものであり、これらを組み合わせることで予想外の格別顕著な効果が奏されるということはできない。
　
　したがって、本願補正発明は、刊行物１ないし４に記載された発明、及び周知技術に基づいて当業者が容易に発明をすることができたものであるから、特許法第２９条第２項の規定により、特許出願の際独立して特許を受けることができないものである。
　
６　むすび
　以上のとおりであるから、本件補正は、平成１８年法律第５５号改正附則第３条第１項によりなお従前の例によるとされてる同法による改正前の特許法第１７条の２第５項において準用する同法第１２６条第５項の規定に違反するので、特許法第１５９条第１項の規定において読み替えて準用する同法第５３条第１項の規定により、却下すべきものである。
　
第３　本願発明について
１　本願発明
　平成２０年２月１２日付けの手続補正は上記のとおり却下されたので、本願の請求項１ないし５に係る発明は、平成１９年９月１０日付けの手続補正書により補正された明細書の特許請求の範囲の請求項１ないし５に記載されたとおりのものと認められ、その請求項１は次のとおりのものである。（以下、「本願発明」という。）
「【請求項１】
　個人を識別できる識別情報を入力する識別情報入力手段と、
　予め決められた項目をラベルに印字し、印字後のラベルを採尿カップに貼り付ける採尿カップ用自動ラベル貼付手段と、
　少なくとも採血用識別情報を印字した採血用整理券を発行する整理券発行手段と、
　患者に採血及び／又は採尿に関する指示情報を表示する表示手段と、
　患者が発行された採尿カップ及び／又は整理券を受け取らずに立ち去ったことを検出する手段と、
　この検出手段からの検出情報に基づいて、患者に取り忘れを報知する手段と、
　前記識別情報に基づいて、複数の患者の個人情報を記憶したホストコンピュータから前記識別情報に対応する患者の個人情報を得て、
　該患者が必要としている検査が尿検査であること、採血検査であること、又は尿検査及び採血検査であることを表示手段に表示させ、かつ、
　該患者が尿検査を必要としている場合に、前記個人情報に基づいて予め決められた項目をラベルに印字し、印字後のラベルを採尿カップに貼り付けるように採尿カップ用自動ラベル貼付手段を作動させ、さらに、
　該患者が採血検査を必要としている場合に、少なくとも採血用識別情報を印字した採血用整理券を発行するよう整理券発行手段を作動させる
　制御手段とを備え、
　前記各手段を一つのユニットとして構成した
　ことを特徴とする採血採尿用自動受付装置。」
　
２　引用刊行物の記載事項
　原査定の拒絶の理由に引用した刊行物１ないし３及びその記載事項は、前記「第２　２」に記載したとおりである。
　
３　対比・判断
　本願発明は、前記「第２」において検討した本願補正発明から、「採尿カップ用自動ラベル貼付手段」についての限定事項である「ラベルを貼り付けるべき採尿カップを積み重ねて収容し、積み重ねて収容された採尿カップを下方から取り出す」との構成を省き、制御手段による「採尿カップ用自動ラベル貼付手段」の作動についての限定事項である、「積み重ねて収容された採尿カップを下方から取り出して」との構成を省いたものである。そして、この省かれた構成は、前記「第２　３」に記載した相違点１に対応するものである。
　そうすると、本願発明の構成要件を全て含み、さらに他の構成要件を付加したものにである本願補正発明が、前記「第２　３」に記載したとおり、刊行物１ないし４に記載された発明、及び周知技術に基づいて当業者が容易に発明をすることができたものであるから、本願発明も、同様の理由により、刊行物１ないし３に記載された発明、及び周知技術に基づいて、当業者が容易に発明をすることができたものである。
　
４　むすび
　以上のとおり、本願発明は、刊行物１ないし３に記載された発明、及び周知技術に基づいて当業者が容易に発明をすることができたものであるから、特許法第２９条第２項の規定により特許を受けることができない。
　したがって、その他の請求項に係る発明についての判断を示すまでもなく、本願は拒絶すべきものである。
　よって、結論のとおり審決する。